(57)【要約】【課題】  軽量で、折り畳みも可能であり、その結果、携帯に適した頸椎異常の予防・矯正器具を提供する。【解決手段】  折り畳み可能な首当て部（２）と、この首当て部の左右端部から延びる紐（３）を有することを特徴とする、頸椎異常の予防・矯正具（１）である。前記首当て部（２）は、空気を充填したり抜き取ったりできる空気注入袋、スポンジを充填させた封入袋、スポンジを収容する収容体とすることができる。前記紐（３）は前記首当て部の中を貫通又は前記首当て部の通路にそって伸びており、全体は1本の紐であってもよい。又は前記紐は前記首当て部の左右縁部に取り付けられており、全体は２本の紐とすることもできる。【選択図】  図１
0003221180.tif 000002
【実用新案登録請求の範囲】
【請求項１】
折り畳み可能な首当て部（２，２Ａ，２Ｂ）と、この首当て部の左右端部から延びる紐（３，３Ａ，３Ｂ）を有することを特徴とする、頸椎異常の予防・矯正具（１，１Ａ，１Ｂ）。
【請求項２】
前記首当て部（２）が、空気を充填したり抜き取ったりできる空気注入袋である請求項１記載の、頸椎異常の予防・矯正具。
【請求項３】
前記首当て部（２Ａ）が、スポンジ（２６）を充填させた封入袋（２５）である請求項１記載の、頸椎異常の予防・矯正具。
【請求項４】
前記首当て部（２Ｂ）が、前記スポンジ（２６Ｂ）を軸心部に配置した筒状収容体（２５Ｂ）である請求項３記載の、頸椎異常の予防・矯正具。
【請求項５】
前記筒状収容体（２５Ｂ）が長手方向に沿って開閉可能な平面板である請求項４記載の、頸椎異常の予防・矯正具。
【請求項６】
前記筒状収容体が最初から筒状態であって開閉不可能な筒である請求項４記載の、頸椎異常の予防・矯正具。
【請求項７】
前記紐（３）が前記首当て部（２）の中を貫通又は前記首当て部の通路（２４）に沿って伸びており、全体は1本の紐である請求項１〜６のいずれかに記載の、頸椎異常の予防・矯正具（１）。
【請求項８】
前記紐（３Ａ）が前記首当て部（２Ａ）の左右縁部（２７）に取り付けられており、全体は２本の紐である請求項１〜６のいずれかに記載の、頸椎異常の予防・矯正具（１Ａ）。
【請求項９】
前記紐（３Ｂ）が前記首当て部（２Ｂ）の左右縁部（２７Ｂ）に取り付けられており、全体は１本の大きな輪となっている請求項１〜６のいずれかに記載の、頸椎異常の予防・矯正具（１Ｂ）。
【考案の詳細な説明】
【技術分野】
【０００１】
本考案はストレートネックその他の頸椎の異常を予防及び矯正する器具に関する。
【背景技術】
【０００２】
ストレートネックとは、本来30〜40度の湾曲があるべき頸椎が、長い間の姿勢の崩れや頸椎の疲労などによって、真っ直ぐになってしまう状態をいい、様々な症状を引き起こすといわれている。まず、頭部の重心が前に移動してしまうために、頭を首の筋肉だけで支えなくてはならなくなり、その結果、筋肉が緊張し、慢性的な首の痛みや肩こりなどの症状が現れる。症状が進行すると、首の神経を傷め、頭痛・片頭痛、手足のしびれ、めまいなどを惹き起こすことがある。
【０００３】
ストレートネックとなる原因は、長時間うつむき姿勢でパソコンを操作すること、長時間スマートフォンを見つめること、高さの合わない枕を使用し続けていること、日ごろから猫背であること、などであるといわれる。特に最近、患者が激増したのはスマートフォンが原因であるとされることが多い。
【０００４】
ストレートネックには二つのタイプがある。一つは、筋肉のこわばりによる「筋性」であり、もう一つは、頸椎そのものが変形した「骨性」である。筋性が長く続き骨性になることもある。
【０００５】
いずれのタイプにしても、首の筋肉の緊張を取ることが大切である。特に、首の前側と後ろ側、胸のストレッチを組みあわせた体操が有効である。
【０００６】
この首のストレッチ体操に関して、例えば、特開２００５−２７８８０４では、次のような姿勢矯正具を提案している。すなわち、頸部の形状に沿って湾曲して形成された湾曲部と、この湾曲部の湾曲端部から曲折した一対の把持部と、湾曲部の一方の湾曲側面から突設された一対の突部と、湾曲部の全体をほぼ被覆するスポンジ状のウレタン樹脂によって構成される吸収層とを具備している。
【０００７】
この姿勢矯正具における湾曲部や把持部の素材は「塩化ビニル樹脂などの合成樹脂」「鉄製パイプ及びアルミ製パイプなどの金属」が例示されており、剛直なものであり、携帯に適したものではない。
【先行技術文献】
【特許文献】
【０００８】
【特許文献１】特開２００５−２７８８０４
【考案の概要】
【考案が解決しようとする課題】
【０００９】
本考案は、この点の改良を目指したものであり、軽量で、折り畳みも可能であり、その結果、携帯に適した頸椎異常の予防・矯正器具を提供することを目的とする。
【課題を解決するための手段】
【００１０】
本考案の頸椎異常の予防・矯正具は、折り畳み可能な首当て部と、この首当て部の左右端部から延びる紐を有することを特徴とする。
【００１１】
前記紐は前記首当て部の中を貫通又は前記首当て部の通路にそって伸びており、全体は1本の紐であってもよい。又は前記紐は前記首当て部の左右縁部に取り付けられており、全体は２本の紐とすることもできる。さらにその２本の紐を連結して１本にすることもできる。
【００１２】
前記首当て部は、折り畳みを容易にするために、空気を充填したり抜き取ったりできる空気注入袋であるか又はスポンジを充填させた封入袋であることが好ましい。
【００１３】
前記首当て部は、前記スポンジを軸心部に配置した筒状収容体とすることもできる。
【００１４】
前記筒状収容体は長手方向に沿って開閉可能な平面板であってもよいし、最初から筒であって開閉不可能なものであってもよい。
【考案の効果】
【００１５】
本考案の頸椎異常の予防・矯正具は、折り畳み可能な首当て部と、この首当て部の左右端部から延びる紐を有するだけなので、構成が簡単であるので安価に製造することができる。また軽量で折り畳み可能なので、家庭内だけでなく職場や旅行先などでも持ち運びができるので、いつでもどこでも使用することができる。
【図面の簡単な説明】
【００１６】
【図１】実施例1に係る頸椎異常の予防・矯正具１を使用している使用者の側面図である。
【図２】実施例1に係る予防・矯正具１の（ａ）背面図、（ｂ）正面図、（ｃ）平面図、（ｄ）側面図、（ｅ）前記（ｃ）の矢示断面図である。
【図３】実施例1に係る予防・矯正具１の首当て部２の拡大断面図である。
【図４】実施例２に係る頸椎異常の予防・矯正具１Ａを使用している使用者の側面図である。
【図５】実施例２に係る予防・矯正具１Ａの（ａ）背面図、（ｂ）正面図、（ｃ）平面図、（ｄ）側面図、（ｅ）前記（ｃ）の矢示断面図である。
【図６】実施例２に係る予防・矯正具１Ａの首当て部２Ａの拡大断面図である。
【図７】実施例３に係る頸椎異常の予防・矯正具１Ｂを使用している使用者の側面図である。
【図８】実施例３に係る予防・矯正具１Ｂを開いた状態の、（ａ）正面図、（ｂ）平面図、（ｃ）背面図、（ｃ）底面図、（ｅ）ウレタンスポンジの側面図、（ｆ）ウレタンスポンジの正面図である。
【図９】実施例３に係る予防・矯正具１Ｂを使用状態としたときの側面図である。
【考案を実施するための形態】
【００１７】
以下添付の図面に基づき本考案の実施例を説明する。
【実施例１】
【００１８】
図１〜３は実施例1に係る頸椎異常の予防・矯正具１である。この器具は、折り畳み可能な首当て部２と、この首当て部２の左右端部から延びる、伸縮可能な紐３を有する。
【００１９】
この首当て部２は空気が注入可能な袋である。その大きさは少なくとも首の背後がしっかり押圧できる幅と広さを有することが必要であり、横方向長さ約１０〜５０ｃｍ、縦方向高さ約３〜１０ｃｍ、厚み１〜４ｃｍあることが好ましい。袋の材質は、注入した空気が容易に抜けないものであること、折り畳みできる程度にやわらかいものであること、繰り返しの使用に耐える程度の丈夫さを有すること、の条件を満たすものであればどのようなものでもよい。例えば、ナイロン生地を使用することができる。
【００２０】
この首当て部２は、空気注入用のキャップ２１付き注入口２２が設けられている。風船を膨らませる要領で、キャップ２１を取り注入口２２に口を当てて、空気を注入する。
【００２１】
この首当て部２の表面には生地２３が貼りつけられており、この生地２３の中に長手方向に紐挿通用の通路２４が形成されている。
【００２２】
紐３はこの通路２４の中を通ると共に、首当て部２の左右に露出状態で長く伸びている。紐３の左右末端３１は使用者が両手で握れるようにリング状態になっている。
【００２３】
この紐３は伸縮可能であることが好ましく、例えば、熱可塑性ゴム（ＴＰＲ）又は熱可塑性エラストマー（ＴＰＥ）を使用することができる。好ましくは、ＪＩＳ  Ｋ７３１２に規定されるＴＹＰＥ  Ａ試験器を用いて測定される硬度が、「ハード」でＡ１２〜Ａ８に設定され、「ミディアム」でＡ７〜Ａ５に設定され、「ソフト」でＡ４〜Ａ２に設定されている。さらに好ましくは、「ハード」を硬度Ａ９とし、「ミディアム」を硬度Ａ６とし、「ソフト」を硬度Ａ３として設定する。しかし、非伸縮性の紐であってもよい。
【００２４】
紐３の長さは首当て部２の左右にそれぞれ１５〜４０ｃｍ程度伸びていることが好ましい。使用者の体格に合わせて長さ調節ができるようにしてもよいし、紐末端を手に何回か巻きつけるなどしてある程度は使用者自身で長さ調節することもできる。
【００２５】
この頸椎異常の予防・矯正器具１を使用するには、まず、首当て部２に空気を充てんして膨らませる。その後、図１に示すように、首当て部２を首の背後に当て、紐３の末端部３１を使用者が手で握り、息を吐きながらゆっくり７秒間、下あごを受け口のように出しながら頸椎を上４５度の角度で伸ばしていく。
【００２６】
その際、７個の骨で構成されている頸椎の下のほうからゆっくり前弯をつくっていくようイメージしながら、伸ばしていく。７秒かけてゆっくり引っ張ったら、軽く力を抜く。その後、再度７秒引っ張る。これが１セットである。この運動を１日３回、朝はご飯を食べてから７セット、昼に３セット、夜は風呂に入った後に７セット行うようにする。
【００２７】
このストレッチ運動により次のような効果が得られる。
・数セットすると、首肩あたりの血流が良くなったのが感じられる。
・その後、首肩のあたりが楽になった感じがする。
・同時に、背中がグーンと伸びた感じがすることもある。
【００２８】
このような運動を繰り返すことにより、まっすぐになっていた頸椎骨は正常な湾曲を取り戻すように矯正される。
【実施例２】
【００２９】
図４〜６は実施例２に係る頸椎異常の予防・矯正具１Ａである。折り畳み可能な首当て部２Ａと、この首当て部２Ａの左右端部から延びる、伸縮可能な紐３Ａを有する。
【００３０】
この首当て部２Ａは内部にスポンジ（発泡体）２６Ａを充てんした袋２５Ａである。その大きさは少なくとも首の背後がしっかり押圧できる幅と広さを有することが必要であり、横方向長さ約１０〜５０ｃｍ、縦方向高さ約３〜１０ｃｍ、厚み１〜４ｃｍあることが好ましい。袋部２５Ａ及びスポンジ（発泡体）２６Ａの材質は、折り畳みできる程度にやわらかいものであること、繰り返しの使用に耐える程度の丈夫さを有すること、の条件を満たすものであればどのようなものでもよい。袋部２５Ａの材料は綿やナイロンであり、スポンジ（発泡体）２６Ａの材料はポリウレタン発泡体である。
【００３１】
この首当て部２の左右両末端はスポンジ２６Ａを充てんしない丈夫な縁部２７Ａとなっている。各縁部に２個ずつ孔２８Ａを開け、この孔２８Ａを通過させることにより左右２本の紐３Ａを取り付ける。各紐３Ａは大きな輪であり、最外部３１Ａを使用者が両手で握るようになっている。
【００３２】
紐３Ａの材質は実施例１と同様のものを採用することができる。
【００３３】
紐３の長さは首当て部２の左右にそれぞれ１５〜４０ｃｍ程度伸びていることが好ましい。使用者の体格に合わせて長さ調節ができるようにしてもよいし、最外部３１Ａを手に何回か巻きつけるなどしてある程度は使用者自身で長さ調節することもできる。
【００３４】
この頸椎異常の予防・矯正器具１Ａを使用法するには、図４に示すように、首当て部２Ａを首の背後に当て、紐３Ａの最外部３１Ａを使用者が手で握り、息を吐きながらゆっくり７秒間、下あごを受け口のように出しながら頸椎を上４５度の角度で伸ばしていく。具体的なやり方は実施例1のときと同じである。
【００３５】
このような運動を繰り返すことにより、まっすぐになっていた頸椎骨は正常な湾曲を取り戻すように矯正される。
【実施例３】
【００３６】
図７〜９は実施例３に係る頸椎異常の予防・矯正具１Ｂである。折り畳み可能な首当て部２Ｂと、この首当て部２Ｂの左右端部から延びる非伸縮性の紐３Ｂを有する。
【００３７】
この首当て部２Ｂは平面状の収容体２５Ｂであり、スポンジ（発泡体）２６Ｂを海苔巻のように軸心部に置いて巻き取り、筒状にして使用する。筒形を維持するために接合可能な雌雄ボタン２９Ｂや面ファスナを設けている。
【００３８】
筒状体の大きさは少なくとも首の背後がしっかり押圧できる幅と広さを有することが必要であり、筒状体のとき、横方向長さ約１０〜５０ｃｍ、直径厚み１〜１０ｃｍであることが好ましい。
【００３９】
布体２５Ｂ及びスポンジ（発泡体）２６Ｂの材質は、折り畳みできる程度にやわらかいものであること、繰り返しの使用に耐える程度の丈夫さを有すること、の条件を満たすものであればどのようなものでもよい。例えば、布体２５Ｂの材料は綿やナイロンであり、スポンジ（発泡体）２６Ｂの材料はポリウレタン発泡体である。
【００４０】
この首当て部２Ｂの左右両末端はスポンジ２６Ｂが存在しない、丈夫な縁部２７Ｂとなっている。各縁部に沿って溝２８Ｂを設け、この溝２８Ｂの中を通過させることにより左右２本の紐３Ｂを取り付ける。各溝２８Ｂの両端から出た紐３Ｂは１本の紐に纏められる。左右の縁部から伸びる紐３Ｂは互いに連結され、１つの大きな輪を形成する。使用者はこの輪の中間部３１Ｂを両手で握って操作する。
【００４１】
紐３Ｂの材質は非伸縮性のものである。例えば綿やナイロンの織物テープを使用することができる。
【００４２】
紐３Ｂの長さは首当て部２Ｂの左右にそれぞれ１５〜４０ｃｍ程度伸びていることが好ましい。使用者の体格に合わせて長さ調節ができるように調節具３２Ｂが設けられている。
【００４３】
この頸椎異常の予防・矯正器具１Ｂを使用するには、図７に示すように、首当て部２Ｂを首の背後に当て、輪となった紐３Ｂの中間部３１Ｂを使用者が手で握り、息を吐きながらゆっくり７秒間、下あごを受け口のように出しながら頸椎を上４５度の角度で伸ばしていく。具体的なやり方は実施例1のときと同じである。
【００４４】
このような運動を繰り返すことにより、まっすぐになっていた頸椎骨は正常な湾曲を取り戻すように矯正される。
【実施例４】
【００４５】
図示しないが、実施例４として、実施例３における巻取用の収容体２５Ｂを平面状ではなく、最初から筒状とする（例えれば竹輪状である）ことも可能である。また、紐はスポンジ（発泡体）の中を貫通するように設けてもよい。
【符号の説明】
【００４６】
１     予防・矯正具
１Ａ   予防・矯正具
１Ｂ  予防・矯正具
２     首当て部
２１   キャップ
２２   注入口
２３   生地
２４   通路
２５ 袋
２６ スポンジ
２７ 縁部
２８   孔
２Ａ         首当て部
２５Ａ    スポンジ封入袋
２６Ａ    スポンジ
２７Ａ    縁部
２８Ａ  
２Ｂ         首当て部
２５Ｂ    スポンジ収納体
２６Ｂ    スポンジ
２７Ｂ    縁部
２８Ｂ    溝
３           紐
３１   末端部
３Ａ        紐
３１Ａ      最外部
３Ｂ        紐
３１Ｂ    輪となった紐の中間部
３２Ｂ    長さ調節具
【図１】
0003221180.tif 000003
【図２】
0003221180.tif 000004
【図３】
0003221180.tif 000005
【図４】
0003221180.tif 000006
【図５】
0003221180.tif 000007
【図６】
0003221180.tif 000008
【図７】
0003221180.tif 000009
【図８】
0003221180.tif 000010
【図９】
0003221180.tif 000011